(57)【要約】【課題】マイナスイオン発生機を備えた照明器具を、マイナスイオン発生機を有しない従来の照明器具と同じように、天井面に取付けられている引掛シーリングと取付アダプタとにより天井面へ取付ける。【解決手段】マイナスイオン発生機５を備えた照明器具の天井面１への取付けを、天井面１に取付けられている引掛シーリングボディ２に取付アダプタ３を取付け、この取付アダプタ３に照明器具本体４を着脱自在に取付け、照明器具本体４の下面側にマイナスイオン発生機５を着脱自在に取付けることにより行う。【選択図】　　図１
2004146335.tif 000002
【特許請求の範囲】
【請求項１】
天井面に取付けられた引掛シーリングボディに着脱自在に取付けられる取付アダプタと；
前記取付アダプタに着脱自在に取付けられ、ランプが取付けられる照明器具本体と；
前記照明器具本体の下面側に着脱自在に取付けられるマイナスイオン発生機と；
を有する照明器具。
【請求項２】
前記マイナスイオン発生機は、通気手段としてのファンを具備しており、前記ファンは、マイナスイオン発生機本体の側方側から吸気して下方側へ排気する請求項１記載の照明器具。
【請求項３】
前記マイナスイオン発生機は、マイナスイオンを発生するマイナスイオン発生部と、前記マイナスイオン発生部を収納する収納ケースと、前記収納ケースの下面に前記マイナスイオン発生部により発生したマイナスイオンが天井面側とは反対側へ放出されるように設けられたマイナスイオン放出孔とを有する請求項１記載の照明器具。
【請求項４】
前記取付アダプタから前記マイナスイオン発生機へ電力が供給され、前記マイナスイオン発生機から前記照明器具本体へ電力が供給される請求項１ないし３のいずれか一記載の照明器具。
【発明の詳細な説明】
【０００１】
【発明の属する技術分野】本発明は、マイナスイオン発生機を備えた照明器具に関する。
【０００２】
【従来の技術】マイナスイオンは、滝や渓流の流域、森林中等に多く存在し、疲労の回復、細胞の活性化等を促す効果があるとされている。
【０００３】
このため、マイナスイオン発生機能を備えた各種の電化製品が実用化され、又は、提案されている。
【０００４】
マイナスイオン発生機能を備えた電化製品の一つとしては、特開２００２−９５７３３公報に開示されたように、天井面に取付けるタイプのマイナスイオン発生機の提案がなされている。また、この公報では、マイナスイオン発生機と照明装置とを装置本体内に設けるという発明も提案されている。
【０００５】
【発明が解決しようとする課題】マイナスイオン発生機と照明装置とが装置本体内に設けられている場合には、マイナスイオン発生機と照明装置とが一体とされているので、マイナスイオン発生機が故障した場合には装置本体を天井面から取外して修理に出す必要があり、その修理期間中は別の照明装置を用意しなければならず、煩雑である。
【０００６】
また、マイナスイオン発生機が修理不能である場合には、照明装置を含めた装置全体を交換しなければならない。
【０００７】
また、照明装置とマイナスイオン発生機とを一体化した場合、装置全体の小型化を図るためにはマイナスイオン発生機を小型化することが必要であり、また、ランニングコストを低減するためにはマイナスイオン発生機の消費電力を少なくすることが必要である。
【０００８】
本発明の目的は、マイナスイオン発生機を備えた照明器具であって、天井面に取付けられている引掛シーリングと取付アダプタとによる天井面への取付構造を変更することなく天井面への取付けを行える照明器具を提供することである。
【０００９】
本発明の別の目的は、照明器具に取付けられるマイナスイオン発生機の小型化及び軽量化、消費電力の低減等を図ることである。
【００１０】
【課題を解決するための手段】請求項１記載の発明の照明器具は、天井面に取付けられた引掛シーリングボディに着脱自在に取付けられる取付アダプタと；前記取付アダプタに着脱自在に取付けられ、ランプが取付けられる照明器具本体と；前記照明器具本体の下面側に着脱自在に取付けられるマイナスイオン発生機と；を有する。
【００１１】
したがって、この照明器具の天井面への取付けは、天井面に取付けられている引掛シーリングボディに取付アダプタを取付け、この取付アダプタに照明器具本体を取付け、照明器具本体の下面側にマイナスイオン発生機を取付けることにより行える。このため、マイナスイオン発生機を備えた照明器具であっても、マイナスイオン発生機を有しない従来の照明器具と同じように天井面へ取付けることができる。
【００１２】
照明器具本体へのマイナスイオン発生機の取付位置については、照明器具本体に取付けられるランプと干渉しない位置であること、電気配線をできるだけ少なくできる位置であること、外観上のバランスがよい位置であること等を考慮すると、照明器具本体の略中央部であることが好適である。
【００１３】
また、この照明器具では、照明器具本体に対してマイナスイオン発生機が着脱自在に取付けられているので、マイナスイオン発生機を照明器具本体から取外してメンテナンスを行うことができ、或いは、マイナスイオン発生機のみを新たなものに交換することができる。マイナスイオン発生機を照明器具本体から取外してメンテナンスを行う場合には、照明器具本体を引き続き照明器具として使用することができる。
【００１４】
請求項２記載の発明は、請求項１記載の照明器具において、前記マイナスイオン発生機は通気手段としてのファンを具備しており、前記ファンは、マイナスイオン発生機本体の側方側から吸気して下方側へ排気する。
【００１５】
したがって、マイナスイオン発生機で発生したマイナスイオンの送り出しを、ファンの駆動により照明器具の下方域に向けて集中させることができる。
【００１６】
なお、ファンによるマイナスイオンの送り出しを、マイナスイオン発生機本体の下方側から吸気して側方側へ排気して行うようにしてもよい。この場合には、マイナスイオンの送り出しの範囲を、照明器具の下方域を中心として広げることができる。
【００１７】
請求項３記載の発明は、請求項１記載の照明器具において、マイナスイオンを発生するマイナスイオン発生部と、前記マイナスイオン発生部を収納する収納ケースと、前記収納ケースの下面に前記マイナスイオン発生部により発生したマイナスイオンが天井面側とは反対側へ放出されるように設けられたマイナスイオン放出孔とを有する。
【００１８】
マイナスイオンは、アース側に向かって移動するという性質を有する。したがって、マイナスイオン発生機のマイナスイオン発生部により発生したマイナスイオンがマイナスイオン放出孔からアース側である対地側に放出されることで、マイナスイオンを送り出すためのファンなどの送風機構を使用しなくてもよく、マイナスイオン発生機が小型化、軽量化され、消費電力が少なくなる。
【００１９】
請求項４記載の発明は、請求項１ないし３のいずれか一記載の照明器具において、前記取付アダプタから前記マイナスイオン発生機へ電力が供給され、前記マイナスイオン発生機から前記照明器具本体へ電力が供給される。
【００２０】
したがって、マイナスイオン発生機は、取付アダプタから電力を供給されるためにマイナスイオン発生機側に特別な電源を備える必要がなく、マイナスイオン発生機が小型可、軽量化され、照明器具本体へのマイナスイオン発生機の取付けが容易になる。また、マイナスイオン発生機から照明器具本体への電力供給は、取付アダプタから供給される電力がそのままマイナスイオン発生機を介して送られるようになっているので、マイナスイオン発生機を設ける場合であっても照明器具本体側で電力取込みのための特別な構造を設ける必要がない。
【００２１】
【発明の実施の形態】本発明の第一の実施の形態を図１ないし図３に基づいて説明する。図１はマイナスイオン発生機が取付けられた照明器具を示す縦断正面図、図２はその分解斜視図、図３はマイナスイオン発生機を示す水平断面図である。
【００２２】
本実施の形態の照明器具は、天井面１に取付けられた引掛シーリングボディ２に着脱自在に取付けられる取付アダプタ３、取付アダプタ３に着脱自在に取付けられる照明器具本体４、照明器具本体４に着脱自在に取付けられるマイナスイオン発生機５、照明器具本体４に着脱自在に取付けられるセード６等により構成されている。
【００２３】
引掛シーリングボディ２は、外形形状が円柱状に形成されて天井面１に位置固定に取付けられた部材であり、その下面には一対の電極刃受け穴７が形成されている。引掛シーリングボディ２の内部には、天井裏に配線された電源線（図示せず）に接続された電源側電極（図示せず）が設けられている。
【００２４】
取付アダプタ３には、その上面側に一対の電極刃８が設けられ、その下面側に接続コード９と操作釦１０とが設けられ、その外周部分には一対の係合爪１１が設けられている。
【００２５】
電極刃８は、取付アダプタ３を引掛シーリングボディ２に取付ける際に引掛シーリングボディ２の電極刃受け穴７に挿入される部材である。電極刃８を電極刃受け穴７に挿入した後に取付アダプタ３を水平面内で所定角度回動させることにより、電極刃８が電極刃受け穴７から抜け落ちないように保持され、かつ、電極刃８が引掛シーリングボディ２の内部に設けられている電源側電極に電気的に接続される。係合爪１１は、スプリングなどの付勢体（図示せず）により外方へ付勢されてスライド自在に設けられ、操作釦１０を押圧操作することにより付勢体の付勢力に抗して内方へスライドするように構成されている。
【００２６】
照明器具本体４は、本体ケース１２、本体ケース１２内に取付けられた点灯装置３０、本体ケース１２の下面側に固定されたソケット１３やホルダ１４等により構成されている。ソケット１３にはランプである環状の蛍光ランプ１５の口金１５ａに設けられている４本のピンが接続され、この蛍光ランプ１５はソケット１３とホルダ１４とにより保持されている。
【００２７】
本体ケース１２の中央部には穴部１６が形成され、穴部１６は取付アダプタ３が入り込むサイズに形成されている。穴部１６の内周面には、取付アダプタ３の係合爪１１が係合される係合溝１７が形成され、引掛シーリングボディ２に取付けられた取付アダプタ３が穴部１６内に位置するように照明器具本体４が位置付けられ、係合爪１１が係合溝１７に係合されることにより、取付アダプタ３への照明器具本体４の取付けが行われている。
【００２８】
係合爪１１が係合溝１７に係合されている状態から操作釦１０を押圧操作することにより、係合爪１１が内方へスライドして係合溝１７との係合が解除され、取付アダプタ３から照明器具本体４を取外すことができる。
【００２９】
本体ケース１２の下面側には、マイナスイオン発生機５を取付けるための一対の取付ネジ１８が設けられている。
【００３０】
マイナスイオン発生機５は、収納ケース１９、収納ケース１９内に収納された高電圧発生部２０、針状の放電電極２１、対向電極２２、ファン２３、接続コード２４、２５、端子台３１等により形成され、本体ケース１２の下面側であって平坦面を有する中央部に着脱自在に取付けられている。高電圧発生部２０、放電電極２１、対向電極２２により、マイナスイオンを発生するマイナスイオン発生部５ａが形成されている。
【００３１】
また、マイナスイオン発生機５は、照明器具本体４に取り付けられている環形の蛍光ランプ１５のうち直径が小さいものよりも小径に形成され、かつ、照明器具本体４の中央部に取り付けられている。
【００３２】
放電電極２１は高電圧発生部２０の−極に接続され、対向電極２２は高電圧発生部２０の＋極に接続され、これらの放電電極２１と対向電極２２とが対向配置されている。これらの放電電極２１と対向電極２２との間の空間に向けて、通気手段としてのファン２３が対向配置されている。
【００３３】
収納ケース１９の外周部分には一対の突起片２６が形成され、これらの突起片２６には、マイナスイオン発生機５を照明器具本体４に取付けるときに取付ネジ１８が取付けられるだるま状穴２７が形成されている。
【００３４】
収納ケース１９の側面部と下面部とには、ファン２３の駆動に伴う吸気と排気とが行われるスリット２８ａ、２８ｂが形成されている。
【００３５】
接続コード２４の一端は取付アダプタ３の接続コード９に接続され、接続コード２４の他端は端子台３１に接続されている。接続コード２５の一端は端子台３１に接続され、接続コード２５の他端が接続コード３２を介して点灯装置３０に接続されている。また、取付アダプタ３の接続コード９は、接続コード３２に対して接続可能に設けられている。このため、マイナスイオン発生機５を取り外した状態においても、接続コード９を接続コード３２に接続することにより照明器具本体４への電力供給が可能となる。
【００３６】
ファン２３は、収納ケース１９の側面部に形成されているスリット２８ａから吸気して下面部に形成されているスリット２８ｂから排気する向きに回転駆動される。
【００３７】
セード６は半透光性の材料によりドーム状に形成された部材で、本体ケース１２の外周部に着脱自在に係止されている。セード６の中央部には、ファン２３の駆動に伴う排気用の開口２９が形成されている。
【００３８】
この照明器具には、リモコン送信器（図示せず）からのリモコン操作に応じて蛍光ランプ１５を点灯制御する制御部（図示せず）、及び、リモコン送信器からのリモコン操作に応じてマイナスイオン発生機５の運転を制御する制御部（図示せず）が設けられている。
【００３９】
このような構成において、この照明器具の天井面１への取付けは、天井面１に取付けられている引掛シーリングボディ２に取付アダプタ３を取付け、この取付アダプタ３に照明器具本体４を取付け、照明器具本体４にマイナスイオン発生機５を取付けることにより行われている。照明器具本体４へのマイナスイオン発生機５の取付けは、収納ケース１９の突起片２６に形成されているだるま状穴２７の大径部に取付ネジ１８を挿通し、取付ネジ１８のネジ頭部がだるま状穴２７の小径部に係止されて抜け止めされる位置にマイナスイオン発生機５を回動し、その位置で取付ネジ１８を締付けることにより行われている。
【００４０】
ここで、マイナスイオン発生機５は、本体ケース１２の中央部の平坦面部分に取り付けられているので、着脱作業性がよいとともに、安定した取付状態を維持することができる。セード６に形成されている開口１９とのセンター位置合わせも容易になる。
【００４１】
照明器具本体４への蛍光ランプ１５の取付けは、照明器具本体４を取付アダプタ３に取付ける前後のいずれでもよく、さらには、マイナスイオン発生機５を照明器具本体４に取付ける前後のいずれでもよい。また、マイナスイオン発生機５の外形寸法が環形の蛍光ランプ１５の直径より小さく形成され、かつ、照明器具本体４の中心位置に配置されているので、マイナスイオン発生機５は蛍光ランプ１５を交換する作業の妨げにはならず、蛍光ランプ１５の交換作業を容易に行える。
【００４２】
このように、この照明器具はマイナスイオン発生機５を備えたものであるが、マイナスイオン発生機５を有しない従来の照明器具と同じように引掛シーリングボディ２と取付アダプタ３とを用いて天井面１に取付けることができ、この照明器具を天井面１に取付けるための特別な工事は不要となる。このため、現在使用している既存の照明器具から、マイナスイオン発生機５を備えたこの照明器具への交換を簡単に行える。
【００４３】
また、この照明器具では、マイナスイオン発生機５が照明器具本体４に対して着脱自在に取付けられているので、マイナスイオン発生機５を照明器具本体４から取外してメンテナンスを行うことができる。そして、マイナスイオン発生機５のメンテナンス期間中には、接続コード９を接続コード３２に接続することにより照明器具本体４への電力供給が可能となり、照明器具本体４を照明器具として引き続き使用することができる。マイナスイオン発生機５が壊れた場合には、マイナスイオン発生機５のみを新しいものに交換することができる。
【００４４】
マイナスイオン発生機５を駆動させると、放電電極２１と対向電極２２との間でコロナ放電が発生し、そのコロナ放電に伴ってマイナスイオンが発生する。発生したマイナスイオンは、ファン２３の駆動により収納ケース１９のスリット２８ｂとセード６の開口２９とを通過し、照明器具の下方域へ集中して送り出される。
【００４５】
また、このマイナスイオン発生機５は、取付アダプタ３から電力を供給されるため、マイナスイオン発生機５側に対する特別な電源を備える必要がなく、マイナスイオン発生機５の小型可、軽量化が達成される。このため、照明器具本体４へのマイナスイオン発生機５の取付けを容易に行える。
【００４６】
なお、本実施の形態では、ファン２３を、収納ケース１９の側面部に形成されているスリット２８ａから吸気して下面部に形成されているスリット２８ｂから排気する向きに回転駆動する場合を例に挙げて説明したが、ファン２３の回転方向を逆向きとすること等により、収納ケース１９の下面部に形成されているスリット２８ｂから吸気して収納ケース１９の側面部に形成されているスリット２８ａから側方へ排気する構成としてもよい。この場合には、発生したマイナスイオンの送り出し範囲を、照明器具の下方域を中心として広げることができる。
【００４７】
本発明の第二の実施の形態を図４ないし図６に基づいて説明する。なお、図１ないし図３において説明した部分と同じ部分は同じ符号で示し、説明も省略する。図４はマイナスイオン発生機が取付けられた照明器具を示す縦断正面図、図５はその一部を示す底面図、図６はリモコン送信器を示す正面図である。
【００４８】
本実施の形態の照明器具の基本的構造は第一の実施の形態の照明器具と同じであり、天井面１に取付けられた引掛シーリングボディ２に着脱自在に取付けられる取付アダプタ３、取付アダプタ３に着脱自在に取付けられる照明器具本体４、照明器具本体４に着脱自在に取付けられるマイナスイオン発生機４１、照明器具本体４に着脱自在に取付けられるセード６等により構成されている。
【００４９】
マイナスイオン発生機４１は、収納ケース４２、収納ケース４２内に収納された高電圧発生部２０、針状の放電電極４３、接続コード２４、２５、後述するリモコン送信器から送信されたリモコン信号（赤外線信号）を受信するリモコン信号受信部４５、マイナスイオン発生機４１の運転時に点灯する動作表示ランプ４６、マイナスイオン放出孔４７等により形成され、本体ケース１２の下面側であって平坦面を有する中央部に着脱自在に取付けられている。収納ケース４２の一部は、セード６に形成された開口２９から下向きに突出している。高電圧発生部２０、放電電極３３により、マイナスイオンを発生するマイナスイオン発生部４１ａが形成されている。この放電電極４３は、電極先端がマイナスイオン放出孔４７と対向するように設けられており、放電電極４３から下向きに放電することでマイナスイオンを発生するように設けられている。
【００５０】
マイナスイオン放出孔４７は、マイナスイオン発生部４１ａにより発生したマイナスイオンを天井面と反対側である対地側に放出させるために形成された開孔であり、収納ケース４２の下面であってセード６の開口２９から突出した箇所に形成されている。このマイナスイオン放出孔４７は、所望する開口面積を確保しつつ、マイナスイオン発生機４１の取付け、取外しの際などに放電電極４３に直接指が触れることを防止するため、指などを差し込むことができない異形状に形成されている。
【００５１】
リモコン信号受信部４５と動作表示ランプ４６とは、収納ケース４２の下面であってセード６の開口２９から突出した箇所に形成された開口４８に対向して配置されている（図５参照）。
【００５２】
図６は、本実施の形態の照明器具の蛍光ランプ１５の点灯制御、及び、マイナスイオン発生機３１の運転制御をするリモコン信号を送信するリモコン送信器５１である。このリモコン送信器５１は、筐体形状の本体ケース５２、本体ケース５２内に収納されたリモコン信号発生部（図示せず）、本体ケース５２の外周部表面に設けられた複数の操作ボタン５３ａ、５３ｂ、５３ｃ、５３ｄ、５３ｅ、５３ｆ、マイナスイオン検知部５４、マイナスイオンの検知量を表示する表示部５５、本体ケース５２の外周部側面に設けられてリモコン信号を送信するリモコン信号送信部５６等を備えている。
【００５３】
操作ボタン５３ａは蛍光ランプ１５を１００％点灯させるボタンであり、操作ボタン５３ｂは常夜灯（図示せず）を点灯させるボタンであり、操作ボタン５３ｃは蛍光ランプ１５を調光点灯させるボタンであり、操作ボタン５３ｄは蛍光ランプ１５と常夜灯とを消灯させるボタンである。操作ボタン５３ｅはマイナスイオン発生機４１を始動させるボタンであり、操作ボタン５３ｆはマイナスイオン発生機４１を停止させるボタンである。それらの各操作ボタン５３ａ〜５３ｆの操作に基づくリモコン信号がリモコン信号発生部で発生し、そのリモコン信号が赤外線信号に変換されてリモコン信号送信部５６から送信される。送信されたリモコン信号（赤外線信号）は、マイナスイオン発生機４１のリモコン信号受信部４５や照明器具本体４に設けられているリモコン信号受信部（図示せず）で受信され、受信したリモコン信号に応じた制御が行われる。
【００５４】
マイナスイオン検知部５４は金属製の板であり、この板上にマイナスイオンが触れることにより変化する電位を検知部（図示せず）検知することにより、マイナスイオンの量的検知を行える。
【００５５】
マイナスイオンの検知量を表示する表示部５５として、本実施の形態ではＬＥＤを点灯させるバーグラフを例に挙げているが、液晶パネルを用いて数値表示をさせてもよい。
【００５６】
このような構成において、この照明器具の天井面１への取付けは、天井面１に取付けられている引掛シーリングボディ２に取付アダプタ３を取付け、この取付アダプタ３に照明器具本体４を取付け、照明器具本体４にマイナスイオン発生機４１を取付けることにより行われている。この取付けは、第一の実施の形態と同じように、収納ケース３２の突起片２６に形成されているだるま状穴２７に取付ネジ１８を挿通して締付けることにより行われている。
【００５７】
この照明器具はマイナスイオン発生機４１を備えたものであるが、マイナスイオン発生機４１を有しない従来の照明器具と同じように引掛シーリングボディ２と取付アダプタ３とを用いて天井面１に取付けることができ、この照明器具を天井面１に取付けるための特別な工事は不要となる。このため、現在使用している既存の照明器具から、マイナスイオン発生機４１を備えたこの照明器具への交換を簡単に行える。
【００５８】
また、マイナスイオン発生機４１が照明器具本体４に対して着脱自在に取付けられているので、マイナスイオン発生機４１を照明器具本体４から取外してメンテナンスを行うことができる。そして、マイナスイオン発生機４１のメンテナンス期間中には、接続コード９を接続コード３２に接続することにより照明器具本体４への電力供給が可能となり、照明器具本体４を照明器具として引き続き使用することができる。マイナスイオン発生機４１が壊れた場合には、マイナスイオン発生機４１のみを新しいものに交換することができる。
【００５９】
マイナスイオン発生機４１を駆動させると放電電極４３から放電が生じ、その放電に伴ってマイナスイオンが発生する。マイナスイオンは、アース側に向かって移動するという性質を有するため、マイナスイオン発生機４１内で発生したマイナスイオンは、マイナスイオン放出孔４７からアース側である対地側に放出される。そして、マイナスイオンが照明器具の下側へ向けて放出されることにより、この照明器具の下側は、通常、室内において人が過ごす時間が最も多い空間であるので、人体の周囲へのマイナスイオンの供給を良好に行える。
【００６０】
さらに、マイナスイオン放出孔４７がセード６の開口２９から突出又は略面一の箇所に設けられているので、照明器具内のアースを有する部材にマイナスイオンが導かれることが抑制され、より室内空間へ下向きにマイナスイオンが放出されるようになっている。
【００６１】
ここで、本実施の形態では、マイナスイオン発生機４１内で発生したマイナスイオンがマイナスイオン放出孔４７から対地側に放出されており、発生したマイナスイオンを送り出すためのファンなどの送風機構を使用していない。このため、マイナスイオン発生機４１の小型化、軽量化を図ることができ、さらには、消費電力を少なくすることができる。これにより、マイナスイオン発生機４１の使用形態に汎用性を持たせることができ、小型の照明器具本体と組み合わせて使用することや、消費電力が大きい照明器具本体と組み合わせて使用することができる。
【００６２】
ファンなどの送風機構を設けないことにより、マイナスイオン発生機４１の運転時の低騒音化を図ることができる。さらに、例えば、ファンのモータまたはベアリング等の動力機構の不具合ないしは寿命でマイナスイオン発生機４１のメンテナンスを行うことがないので、マイナスイオン発生機４１のメンテナンス頻度が低くなる。
【００６３】
また、マイナスイオンは、無味無臭、無色透明であるため、発生しているかどうかの判別、及び、どれくらいの量のマイナスイオンが発生しているかの判別が困難である。本実施の形態では、マイナスイオン検知部５４とマイナスイオンの検知量を表示する表示部５５とがリモコン送信器５１に設けられているので、マイナスイオンの発生量を確認しつつマイナスイオン発生機４１の運転状態を制御することができる。
【００６４】
本実施の形態、及び、第一の実施の形態では、マイナスイオン発生機５、４１を照明器具本体４の下面に位置固定にネジ止めした場合を例に挙げて説明したが、これらのマイナスイオン発生機５、４１を昇降機構により昇降可能に照明器具本体４の下面に取付けてもよい。昇降動作は、リモコン制御で行うようにしてもよく、又は、手動で行うようにしてもよい。マイナスイオン発生機５、４１を下降させることにより、マイナスイオンの発生位置を人体に近付けることができ、人体の周囲へのマイナスイオンの供給を良好に行えるようになる。
【００６５】
また、本実施の形態、及び、第一の実施の形態では、環形の蛍光ランプ１５を用いた照明器具を例に挙げて説明したが、このようなマイナスイオン発生機５、３１を取付ける照明器具としては直管形の蛍光ランプを用いるものであってもよい。
【００６６】
【発明の効果】請求項１記載の発明の照明器具によれば、この照明器具の天井面への取付けを、天井面に取付けられている引掛シーリングボディに取付アダプタを取付け、この取付アダプタに照明器具本体を取付け、照明器具本体の下面側にマイナスイオン発生機を取付けることにより行えるので、マイナスイオン発生機を備えた照明器具であっても、マイナスイオン発生機を有しない従来の照明器具と同じように天井面へ取付けることができる。さらに、この照明器具では、照明器具本体に対してマイナスイオン発生機が着脱自在に取付けられているので、マイナスイオン発生機を照明器具本体から取外してメンテナンスを行うことができる。
【００６７】
請求項２記載の発明によれば、請求項１記載の照明器具において、前記マイナスイオン発生機は通気手段としてのファンを具備しており、前記ファンは、マイナスイオン発生機本体の側方側から吸気して下方側へ排気するので、マイナスイオン発生機で発生したマイナスイオンの送り出しを、ファンの駆動により照明器具の下方域に向けて集中させることができる。
【００６８】
請求項３記載の発明によれば、請求項１記載の照明器具において、前記マイナスイオン発生機は、マイナスイオンを発生するマイナスイオン発生部と、前記マイナスイオン発生部を収納する収納ケースと、前記収納ケースの下面に前記マイナスイオン発生部により発生したマイナスイオンが天井面側とは反対側へ放出されるように設けられたマイナスイオン放出孔とを有するので、マイナスイオン発生部により発生したマイナスイオンがマイナスイオン放出孔から対地側に放出されるので、マイナスイオンを送り出すためのファンなどの送風機構を使用する必要がなく、マイナスイオン発生機の小型化、軽量化を図ることができるとともにマイナスイオン発生機の消費電力を低減することができる。
【００６９】
請求項４記載の発明によれば、請求項１ないし３のいずれか一記載の照明器具において、前記取付アダプタから前記マイナスイオン発生機へ電力が供給され、前記マイナスイオン発生機から前記照明器具本体へ電力が供給されるので、マイナスイオン発生機側に特別な電源を備える必要がなく、マイナスイオン発生機の小型化、軽量化を図ることができ、照明器具本体へのマイナスイオン発生機の取付けを容易にすることができる。
【図面の簡単な説明】
【図１】本発明の第一の実施の形態の照明器具を示す縦断正面図である。
【図２】その分解斜視図である。
【図３】マイナスイオン発生機を示す水平断面図である。
【図４】本発明の第二の実施の形態の照明器具を示す縦断正面図である。
【図５】その一部を示す底面図である。
【図６】リモコン送信器を示す正面図である。
【符号の説明】
１：天井面、２：引掛シーリングボディ、３：取付アダプタ、４：照明器具本体、５：マイナスイオン発生機、１５：ランプ、１９：マイナスイオン発生機本体、２３：ファン、４１：マイナスイオン発生機、４１ａ：マイナスイオン発生部、４２：収納ケース、４７：マイナスイオン放出孔
【図１】
2004146335.tif 000003
【図２】
2004146335.tif 000004
【図３】
2004146335.tif 000005
【図４】
2004146335.tif 000006
【図５】
2004146335.tif 000007
【図６】
2004146335.tif 000008